(57)【特許請求の範囲】
【請求項１】
遊技機を構成する構造体にユニットを取り付けるための取付構造であって、
前記取付構造は、
前記構造体及び前記ユニットのうちの一方に設けられるとともに、
弾性を有する支持体と、
前記支持体の先端側における一方の側から突出する係止片と、
前記支持体の他方の側から突出するとともに前記係止片より後方寄りの位置に設けられる突条とを有するフック部材と、
前記構造体及び前記ユニットのうちの他方に設けられるとともに前記係止片が係止する被係止部と、
前記他方に設けられるとともに前記被係止部より後方に設けられて前記突条が当接する被当接部とを備え、
前記突条は前記支持体が前記被係止部に向かって挿入される方向に沿って設けられ、
前記突条の辺縁は、その先端側において前記支持体からの距離が後方に向かうに従い漸増し、これにより先端傾斜部が設けられ、
前記フック部材は、前記係止片が前記被係止部に係止しているとき、前記突条の前記先端傾斜部が前記被当接部に当接するように設けられていることを特徴とするユニットの取付構造。
【請求項２】
前記フック部材は前記ユニットに設けられ、
前記被係止部及び前記被当接部は前記構造体に設けられ、
前記フック部材には、前記支持体と前記ユニットとを連結するベース部が設けられ、
前記支持体は、
前記突条が設けられている部分である後部と、
前記突条が設けられていない部分である前部とを備えていることを特徴とする請求項１に記載のユニットの取付構造。
【請求項３】
前記フック部材は前記ユニットとは別体に設けられ、
前記ユニットの表面には、開口する開口部が設けられ、
前記フック部材には、前記開口部に取り付けられて前記開口部を覆う取付部が設けられ、
前記フック部材を前記ユニットから取り外す際に前記開口部から前記取付部を取り外す方向は、前記係止片が前記支持体から突出する方向と同一方向に形成されていることを特徴とする請求項２に記載のユニットの取付構造。
【請求項４】
前記フック部材の前記取付部には、前記ユニットに取り付けた際に前記ユニットの外部から前記ユニット内部の状態を視認可能な透明部材からなる内部視認部が設けられていることを特徴とする請求項３に記載のユニットの取付構造。
【請求項５】
前記前部は、先端から前記後部まで厚さ方向に貫通する１以上のスリットが設けられていることで複数に分割され、それらの少なくとも１つが前記係止片を有するとともに独立して弾性変形可能に形成されていることを特徴とする請求項２、３又は４に記載のユニットの取付構造。
【請求項６】
前記突条は、少なくとも１の前記スリットの幅の間に位置するように形成されていることを特徴とする請求項５に記載のユニットの取付構造。
【請求項７】
前記フック部材は、前記ユニットの前記構造体への取付面の一端側に設けられ、
前記ユニット及び前記構造体には、前記取付面の他端側に前記ユニットを前記構造体に軸支させる軸支手段が設けられ、
前記軸支手段は、
前記ユニット及び前記構造体のうちの一方に設けられた軸部と、
前記ユニット及び前記構造体のうちの他方に設けられるとともに前記軸部を軸支する軸受部とを備え、
前記軸受部は、前記軸部が挿通可能な開口を有する溝状の断面を有するとともに、
前記軸支手段により前記ユニットを前記構造体に向けて回動させることで、前記フック部材が前記被係止部に係止することが可能となっていることを特徴とする請求項２、３、４、５又は６に記載のユニットの取付構造。
【請求項８】
正面側に開口する筐体と、前記筐体の前記開口を開閉自在に覆う前記構造体としての前扉とを備える遊技機の前記前扉に前記ユニットとしての演出ユニットを軸支した状態で回動させて前記演出ユニットを前記前扉に取り付けるための取付構造であって、
前記取付構造は、
前記演出ユニットとは脱着可能な別体に設けられて前記演出ユニットに設けられるとともに、
先端側がスリットにより複数に分割されて弾性を有する支持体と、
前記支持体の分割された先端側の少なくとも１つに一方の側から突出する係止片と、
前記支持体の他方の側から突出するとともに前記係止片より後方寄りかつ前記スリットに対応する位置に設けられる突条と
を有するフック部材と、
前記前扉の裏面側に設けられるとともに、
前記係止片が係止する前記被係止部としての前端角部と、
前記前端角部より後方に設けられて前記突条が当接する前記被当接部としての後端角部と
を有する係止孔と
を備え、
前記突条は前記支持体が前記係止孔に向かって挿入される方向に沿って設けられ、
前記突条の辺縁は、その先端側において前記支持体からの距離が後方に向かうに従い漸増し、これにより先端傾斜部が設けられ、
前記フック部材は、前記係止片が前記前端角部に係止しているとき、前記先端傾斜部が前記後端角部に当接するように設けられていることを特徴とする請求項２に記載のユニットの取付構造。
【請求項９】
遊技機を構成する構造体に取り付けられるユニットが、請求項１、２、３、４、５、６、７又は８に記載されたユニットの取付構造により取り付けられていることを特徴とする遊技機。
【発明の詳細な説明】
【技術分野】
【０００１】
本発明は、遊技機を構成する前扉等の構造体へのユニットの取付構造及びそれを用いた遊技機に関する。
【背景技術】
【０００２】
従来、人々に娯楽を提供するスロットマシンやパチンコ機等の遊技機が利用されている。たとえば、スロットマシンは、複数種類の図柄が配置されているとともに回転駆動可能に設けられた複数の回転リールを備えた遊技機である。この遊技機は、前側に開口部を有する四角箱状の筐体と、この筐体の一端に軸支されて前記開口部を開閉自在に塞ぐことができる前扉とからなる構造体を有している。この筐体及び前扉の内側には、遊技に用いられる種々のユニットが取り付けられている。たとえば、前扉の正面側の画面に様々な映像の表示が可能となった液晶表示装置等の演出ユニットが取り付けられた遊技機によれば、遊技中に様々な情報を遊技者に提供できるうえ、遊技者が入賞した際に、入賞役の演出に最適な画像を表示でき、遊技者をさらに遊技に夢中にさせることが可能となる。
【０００３】
このような遊技機では、種々のユニットを前扉の裏面側や、筐体の内側に取り付けるのに、ボルトやネジを利用するのが一般的である。しかし、前扉が開放された遊技機としてのスロットマシンの前扉の裏面側に、上述したような演出ユニットをネジで取り付けるようにすると、ネジの締結作業を開始してから完了するまでの間、演出ユニットが前扉から落下しないように、演出ユニットを手で支持し、この状態で締結作業を行う必要があるので取付作業が煩雑になる。このため、演出ユニットの一端側を構造体に軸支させるとともに、他端側に演出ユニットから前扉側に延びるフック部材を設け、このフック部材の楔状の先端を、構造体に設けた被係止部に係止させることにより、演出ユニット等のユニットを前扉に仮止めすることができるものがある（たとえば、特許文献１）。
【先行技術文献】
【特許文献】
【０００４】
【特許文献１】特開２００５−１６８５６６号公報
【発明の概要】
【発明が解決しようとする課題】
【０００５】
しかし、従来のユニットの取付構造は、フック部材の先端と被係止部との位置精度が悪い場合や、両者の寸法誤差が大きい場合には、取り付けできなかったり、取り付けることができても、両者の間に隙間が発生し、ガタツキが発生してしまうという問題点がある。
上記の問題点に鑑み、本願における請求項１記載の発明は、ユニットを遊技機の構造体に取り付ける際、寸法形状に誤差があっても対応することができる上に、取付後もガタツキの発生を防止することができ、取り外す際には容易に取り外し可能なユニットの取付構造を提供することを目的とする。
請求項２記載の発明は、上記した請求項１に記載の発明の目的に加え、フック部材の修理、交換、製造及び組立等における取扱いを容易にするとともに、フック部材の一部は高剛性構造として破損を防止し、他の一部は弾性変形しやすい構造として寸法誤差を吸収可能なユニットの取付構造を提供することを目的とする。
【０００６】
請求項３記載の発明は、上記した請求項２に記載の発明の目的に加え、フック部材だけを交換することができて維持コストを低減させることができるとともに、不正行為を抑制可能なユニットの取付構造を提供することを目的とする。
請求項４記載の発明は、上記した請求項３に記載の発明の目的に加え、フック部材をユニットに取り付けた状態のまま、ユニットの内部状態を確認することができ、不正行為の痕跡を外部から発見可能なユニットの取付構造を提供することを目的とする。
請求項５記載の発明は、上記した請求項２、３又は４に記載の発明の目的に加え、障害物を避けてフック部材を係止させることができるとともに、１回の操作を行うことで、係止状態の解除が可能なユニットの取付構造を提供することを目的とする。
【０００７】
請求項６記載の発明は、上記した請求項５に記載の発明の目的に加え、フック部材の特定の箇所だけに応力が集中して特定の箇所のみが減耗したり破断するようなことが抑えられるユニットの取付構造を提供することを目的とする。
請求項７記載の発明は、上記した請求項２，３、４、５又は６に記載の発明の目的に加え、ユニットの取付作業の際、ユニットの全体重量を手で支える必要がなく、その係止作業に集中することができ、フック部材にユニットの重量による負荷が集中せずにフック部材の破損を防止することができるとともに取り付け作業が容易なユニットの取付構造を提供することを目的とする。
【０００８】
請求項８記載の発明は、上記した請求項２に記載の発明の目的に加え、ユニットを遊技機の構造体に取り付ける際、寸法形状に誤差があっても対応することができる上に、取付後もガタツキの発生を防止することができ、取り外す際には容易に取り外し可能なユニットの取付構造を提供することを目的とする。
請求項９記載の発明は、請求項１、２、３、４、５、６、７又は８に記載したユニットの取付構造によりユニットを構造体に取り付けた遊技機を提供することを目的とする。
【課題を解決するための手段】
【０００９】
（請求項１）
請求項１記載の発明は、遊技機10を構成する構造体にユニット100を取り付けるための取付構造であって、前記取付構造は、（Ａ）前記構造体及び前記ユニット100のうちの一方に設けられるとともに、（ａ１）弾性を有する支持体220と、（ａ２）前記支持体220の先端側における一方の側から突出する係止片230と、（ａ３）前記支持体220の他方の側から突出するとともに前記係止片230より後方寄りの位置に設けられる突条240とを有するフック部材210と、（Ｂ）前記構造体及び前記ユニット100のうちの他方に設けられるとともに前記係止片230が係止する被係止部86と、（Ｃ）前記他方に設けられるとともに前記被係止部86より後方に設けられて前記突条240が当接する被当接部88とを備え、前記突条240は前記支持体220が前記被係止部86に向かって挿入される方向に沿って設けられ、前記突条240の辺縁は、その先端側において前記支持体220からの距離が後方に向かうに従い漸増し、これにより先端傾斜部241が設けられ、前記フック部材210は、前記係止片230が前記被係止部86に係止しているとき、前記突条240の前記先端傾斜部241が前記被当接部88に当接するように設けられていることを特徴とする。
ここで、「遊技機10を構成する構造体にユニット100を取り付けるための取付構造」の「取り付け」とは、後でネジ止めを行うことを前提とした仮止めとしての取り付けと、フック部材210を係止させることで固定（装着）が終了する取り付けとの両方を含む概念である。
また、「前記支持体220の先端側における一方の側から突出する係止片230」の「一方の側」とは、支持体220の先端側における支持体220の周囲側面のうちの一方向にある側を意味する。具体的にはたとえば支持体220が水平方向に板面を有する板状であるような場合に「一方の側」が「上側」である場合には、板状の支持体220の上側（上面側）から係止片230が突出するものである。
また、「前記支持体220の他方の側から突出する〜突条240」の「他方の側」とは、前記係止片230が支持体220から突出する「一方の側」と反対方向の側を意味する。具体的にはたとえば上述した例では支持体220の「下側（下面側）」から突条240が突出するものである。
また、「前記他方に設けられるとともに〜被当接部88」の「前記他方」とは、この直前に記載されている「前記構造体及び前記ユニット100のうちの他方」の「他方」と同一のものを意味する。具体的には、たとえば、「前記構造体及びユニット100のうちの他方」が「構造体」を意味するような場合には、「前記他方」も「構造体」を意味するものである。この場合には、「前記他方に設けられる〜被当接部88」とは、「前記構造体に設けられる〜被当接部88」を意味する。
【００１０】
本発明では、支持体220に係止片230の突出方向と反対方向に突出する突条240が設けられるとともにその突条240に先端傾斜部241が設けられたことにより、ユニット100を遊技機10の構造体に取り付ける際、寸法形状の誤差があっても対応することができる上に、取付後もガタツキの発生を防止することができ、さらに、取り外す際には容易に取り外すことができる。
（１）突条240は係止片230の突出方向と反対方向に突出している。先端傾斜部241は支持体220からの距離が後方に向かうに従い漸増する形状となっている。支持体220が被係止部86側に向かって押し込まれると、先端傾斜部241が被当接部88に当接して摺動する。これにより、支持体220は押し込まれるとともに係止片230の突出方向に向かって案内される。さらに支持体220を押し込むと、係止片230が被係止部86に係止する。
（２）先端傾斜部241が押し込まれて被当接部88に当接すると、係止片230と先端傾斜部241とにより被係止部86及び被当接部88を挟み込んだ状態にすることができる。これにより支持体220と被係止部86との係止状態が強固なものとなる上に両者の間に隙間を発生させることなく係止状態にすることができ、ガタツキの発生を防止することができる。
（３）本発明においては、支持体220が弾性変形可能であるとともに先端傾斜部241は、その先端側において支持体220からの距離が後方に向かうに従い漸増しているため、被当接部88が前後方向に先端傾斜部241の前後方向の長さ分だけずれても支持体220を押し込むことにより先端傾斜部241と被当接部88とを当接させることができる。これにより、先端傾斜部241の前後方向の長さ分だけ被係止部86と被当接部88との距離が変動しても対応することができる。
【００１１】
すなわち、被係止部86と被当接部88との間の距離（係止片230が被係止部86に係止する位置と、先端傾斜部241が被当接部88に当接する位置との間の距離）に誤差があっても先端傾斜部241により誤差を吸収することができ、良好な係止状態を発生させることができる。このように、係止状態における寸法形状の誤差を吸収することができるため、全体として製造コストを低減することが可能になる。
（４）一方、被係止部86から支持体220を取り外す際には、支持体220を、突条240を設けた側に向かって弾性変形させて移動させると、被係止部86から係止片230が外れ、係止状態を解除することが可能となる。その際に先端傾斜部241は被当接部88に当接しているため、支持体220を後端側へ移動させる力が被当接部88から支持体220に加わり、支持体220は後端側へ移動させられる。これにより支持体220を被係止部86から容易に引き抜くことができる。
（５）本発明では、支持体220の先端側に係止片230が設けられているとともに係止片230より後方寄りの位置に突条240が設けられている。支持体220のうち突条240を形成した箇所では剛性が増すことで弾性変形に対する抵抗が増加するが、突条240を形成していない支持体220の先端側では突条240による剛性の影響は少ない。これにより、この突条240を設けることによる支持体220の先端の弾性変形への悪影響はない。
（６）なお、支持体220は、板状、棒状、筒状、円錐状等の形状であってもよい。
（７）また、フック部材210を被係止部86に係止する前に構造体に対してユニット100を軸支させる軸支手段82をユニット100及び構造体に設けてもよい。
【００１２】
なお、「遊技機10を構成する構造体」には、具体的には、たとえば、スロットマシンの場合には、筐体11と前扉14とがある。
（請求項２）
請求項２記載の発明は、上記した請求項１記載の発明の特徴点に加え、次の点を特徴とする。すなわち、前記フック部材210は前記ユニット100に設けられ、前記被係止部86及び前記被当接部88は前記構造体に設けられ、前記フック部材210には、前記支持体220と前記ユニット100とを連結するベース部250が設けられ、前記支持体220は、前記突条240が設けられている部分である後部221と、前記突条240が設けられていない部分である前部222とを備えていることを特徴とする。
（１）構造体にフック部材210を設けるような場合、フック部材210はその表面から突出することとなるため、仮にフック部材210が破損した場合には構造体そのものを修理あるいは交換する必要がある。それに対して、本発明のようにユニット100にフック部材210を設けることとすれば、構造体の破損への懸念は解消され、フック部材210の修理や交換が容易となる。さらに製造や組立等における取扱いも、構造体よりもユニット100にフック部材210を設けた方が容易となる。
【００１３】
また、ユニット100と支持体220との間にベース部250を設けたことにより、支持体220に加わる力が支持体220の後端からベース部250に伝達された後、ユニット100に加わるようにすることができる。これにより支持体220の後端に応力が集中することがなく、支持体220に加えられる力をベース部250を介して分散させることができる。これによりフック部材210の破損を防止することが可能となる。
（２）本発明では、支持体220のうち突条240が設けられている部分である後部221は、前記突条240が補強板としての役割を有することにより高剛性の構造となっている。これにより、係止状態を解除する際、後部221は被当接部88から前記先端傾斜部241を介して受ける力に十分に耐えることができる。一方、支持体220のうち突条240が形成されていない部分である前部222は、弾性変形しやすい構造となっている。これにより、係止する際の寸法のズレを吸収することができる。
（３）なお、後部221の突条240が設けられた側の反対側には、ユニット100の外方に向かって露出する係止解除操作部224が形成されてもよい。これにより、作業者は、ユニット100の外方から容易に係止解除操作部224を押し込むことができる。被係止部86から係止片230を取り外す際に、作業者が係止解除操作部224を係止片230が被係止部86から離れる方向に押し込むと、被係止部86から係止片230を外すことができる。その際に先端傾斜部241は被当接部88に当接しているため、係止解除操作部224を押し込んだ力の一部が支持体220を後端側へ移動させる力となって被当接部88から支持体220に加わり、支持体220は後端側へ移動させられる。これにより支持体220を被係止部86から容易に引き抜くことができる。
【００１４】
結果として、フック部材210を被係止部86に係止させる力を増加させて係止状態を強固にするとともに、その係止状態を解除するための工夫（先端傾斜部241による引き抜き方向の力の発生）により係止状態も解除され易くなり、ユニット100と構造体との取り付け作業及び取り外し作業の両方における作業性を向上させることができる。
（４）なお、前記突条240は、係止片230が被係止部86に係止する際、前部222が弾性変形する範囲から外れた位置に形成されているのが好適である。
（請求項３）
請求項３記載の発明は、上記した請求項２記載の発明の特徴点に加え、次の点を特徴とする。すなわち、前記フック部材210は前記ユニット100とは別体に設けられ、前記ユニット100の表面には、開口する開口部120が設けられ、前記フック部材210には、前記開口部120に取り付けられて前記開口部120を覆う取付部260が設けられ、前記フック部材210を前記ユニット100から取り外す際に前記開口部120から前記取付部260を取り外す方向は、前記係止片230が前記支持体220から突出する方向と同一方向に形成されていることを特徴とする。
（１）フック部材210を、ユニット100とは別体としたことにより、繰り返し使用による係止片230や突条240等の減耗（へたり等）の発生や塑性変形による弾性変形機能の低下が発生した場合にフック部材210だけを交換することができる。これにより、フック部材210の一部の不具合だけでフック部材210以外のものを含む全体を交換する場合に比べて維持コストを低減させることができる。
（２）本発明では、フック部材210をユニット100から取り外す際の開口部120から取付部260を取り外す方向は、係止片230が支持体220から突出する方向と同一方向となるように形成されている。このため、フック部材210を支持体220の係止片230を設けた側に向かって引き抜く方向に取り外す必要がある。ユニット100を構造体に固定した状態で、フック部材210を取り外そうとしても、引き抜く方向に被係止部86を有する構造体があるため、取り外すことができない。無理に取り外そうとした場合には、支持体220が破損し、取り外した痕跡が残ることになる。これにより、ユニット100を構造体に固定した状態における前記開口部120からの不正行為を抑制することができる。
（３）なお、取付部260を開口部120に取り付けるための連結手段130としては、取付部260及び開口部120の一方から突出する楔状の突起等と、取付部260及び開口部120の他方に設けられた前記突起の楔状の部分が引っ掛かる孔や段差や凸部等とを備えたものが想定される。
【００１５】
（請求項４）
請求項４記載の発明は、上記した請求項３に記載の発明の特徴点に加え、次の点を特徴とする。すなわち、前記フック部材210の前記取付部260には、前記ユニット100に取り付けた際に前記ユニット100の外部から前記ユニット100内部の状態を視認可能な透明部材からなる内部視認部263が設けられていることを特徴とする。
フック部材210をユニット100に取り付けた状態のまま、取付部260の内部視認部263から開口部120を介してユニット100内部を視認することで、ユニット100の内部状態を確認することができる。これにより、ユニット100内部の不正部品が装着されていたりするような異常の有無が容易に確認できる。さらに、不正行為が行われた痕跡を外部から発見しやすい。
【００１６】
ここで、透明部材とは、光線透過性を有する材質で形成されているものであって、これを通して内部が視認可能であれば、いわゆる無色透明でも有色透明でもよく、また半透明でも構わない。本発明におけるフック部材210においては、少なくとも上記の内部視認部263に相当する領域のみがこのような透明部材で形成されていれば足りるが、フック部材210の全体がこのような透明部材で形成されていてもよい。
（請求項５）
請求項５記載の発明は、上記した請求項２、３又は４に記載の発明の特徴点に加え、次の点を特徴とする。すなわち、前記前部222は、先端から前記後部221まで厚さ方向に貫通する１以上のスリット223が設けられていることで複数に分割され、それらの少なくとも１つが前記係止片230を有するとともに独立して弾性変形可能に形成されていることを特徴とする。
（１）支持体220の先端に１以上のスリット223を設けたことで先端側が複数に分割され、その各々が独立して弾性変形可能としたことにより、被係止部86までの間に障害物（たとえば膨出部90）が存在するような場合、その障害物を避けて係止片230を被係止部86に係止させることができる。
【００１７】
なお、スリット223により支持体220の先端側を複数に分割した場合、分割された前部222のそれぞれの先端までの長さは、必ずしも同じ長さでなくても良い。先端までの長さを異ならせることで、被係止部86の位置が異なる場合にでも対応することが可能となる。
（２）本発明では、前部222を１以上のスリット223で分割している。このため、１つの支持体220に対して複数の係止片230を形成しても、支持体220に対して係止を解除するための１回の操作を行うことで、複数の係止片230の係止状態を同時に解除することができる。
（請求項６）
請求項６記載の発明は、上記した請求項５に記載の発明の特徴点に加え、次の点を特徴とする。すなわち、前記突条240は、少なくとも１の前記スリット223の幅の間に位置するように形成されていることを特徴とする。
（１）本発明では、突条240が、少なくとも１のスリット223の幅の間に位置している。このため、被当接部88から突条240に加わる力を、隣接する係止片230の一方に極端に偏ることなく隣接する係止片230に略均等に伝達させることができる。これにより、片方だけに応力が集中して一方のみが減耗したり破断するようなことが抑えられる。
（２）なお、突条240は、支持体220の後部221から前部222の途中までの少なくとも１のスリット223の間に突出するように形成されてもよい。
（３）また、突条240は、少なくとも１のスリット223の幅の間に位置している。このため、突条240の厚みをスリット223の幅よりも小さく形成することで、弾性変形する分割された前部222と突条240との衝突を防止することができる。
【００１８】
（請求項７）
請求項７記載の発明は、上記した請求項２、３、４、５又は６に記載の発明の特徴点に加え、次の点を特徴とする。すなわち、前記フック部材210は、前記ユニット100の前記構造体への取付面の一端側に設けられ、前記ユニット100及び前記構造体には、前記取付面の他端側に前記ユニット100を前記構造体に軸支させる軸支手段82が設けられ、前記軸支手段82は、前記ユニット100及び前記構造体のうちの一方に設けられた軸部111と、前記ユニット100及び前記構造体のうちの他方に設けられるとともに前記軸部111を軸支する軸受部83とを備え、前記軸受部83は、前記軸部111が挿通可能な開口を有する溝状の断面を有するとともに、前記軸支手段82により前記ユニット100を前記構造体に向けて回動させることで、前記フック部材210が前記被係止部86に係止することが可能となっていることを特徴とする。
（１）軸部111が軸受部83の溝状の開口を介して軸受部83内に通され、この軸受部83により軸部111が軸支される。その状態ではユニット100の全体重量のほとんどは軸支手段82を介して構造体に支持されることになり、フック部材210を被係止部86に係止させる作業の際、ユニット100の全体重量を手で支える必要がなく、その係止作業に集中することができる。
（２）また、ユニット100の重量のほとんどが軸支手段82を介して構造体に支持されるため、フック部材210や被係止部86にユニット100の重量による負荷が集中することがなく、フック部材210や被係止部86の破損を防止することができる。
（３）ユニット100は軸部111を回転の中心軸にして傾倒させるだけで、支持体220を被係止部86に侵入させることができ、さらにユニット100を押し込むだけでフック部材210を被係止部86に係止させることができる。したがって取り付け作業を容易にすることができる。
（４）なお、ユニット100の装着方式として軸部111を回転の中心とした回動構造を採用した場合、支持体220の形状を軸部111を中心とする円周に沿うように、挿入される方向に沿ってやや弓なりの円弧状にすることで、周囲と衝突することなく被係止部86と被当接部88との間の空間にスムーズに挿入することができる。
【００１９】
（請求項８）
請求項８記載の発明は、上記した請求項２に記載の発明の特徴点に加え、次の点を特徴とする。すなわち、正面側に開口する筐体11と、前記筐体11の前記開口を開閉自在に覆う前記構造体としての前扉14とを備える遊技機10の前記前扉14に前記ユニット100としての演出ユニット110を軸支した状態で回動させて前記演出ユニット110を前記前扉14に取り付けるための取付構造であって、（Ａ）前記取付構造は、前記演出ユニット110とは脱着可能な別体に設けられて前記演出ユニット110に設けられるとともに、（ａ１）先端側がスリット223により複数に分割されて弾性を有する支持体220と、（ａ２）前記支持体220の分割された先端側の少なくとも１つに一方の側から突出する係止片230と、（ａ３）前記支持体220の他方の側から突出するとともに前記係止片230より後方寄りかつ前記スリット223に対応する位置に設けられる突条240とを有するフック部材210と、（Ｂ）前記前扉14の裏面側に設けられるとともに、（ｂ１）前記係止片230が係止する前記被係止部86としての前端角部87と、（ｂ２）前記前端角部87より後方に設けられて前記突条240が当接する前記被当接部88としての後端角部89とを有する係止孔85とを備え、前記突条240は前記支持体220が前記係止孔85に向かって挿入される方向に沿って設けられ、前記突条240の辺縁は、その先端側において前記支持体220からの距離が後方に向かうに従い漸増し、これにより先端傾斜部241が設けられ、前記フック部材210は、前記係止片230が前記前端角部87に係止しているとき、前記先端傾斜部241が前記後端角部89に当接するように設けられていることを特徴とする。
【００２０】
本発明では、先端側に先端傾斜部241を有する突条240が設けられたことにより、ユニット100を遊技機10の構造体に取り付ける際、寸法形状の誤差があっても対応することができる上に、取付後もガタツキの発生を防止することができ、さらに、取り外す際には容易に取り外すことができる。
（１）突条240は係止片230の突出方向と反対方向に突出している。突条240の先端傾斜部241は支持体220からの距離が後方に向かうに従い漸増する形状となっている。支持体220が係止孔85に押し込まれると、先端傾斜部241が係止孔85の後端角部89に当接して摺動する。これにより、支持体220は押し込まれるとともに係止片230の突出方向に向かって案内される。さらに支持体220を押し込むと、係止片230が前端角部87に係止する。
（２）先端傾斜部241が押し込まれて係止孔85の後端角部89に当接すると、係止片230と先端傾斜部241とにより係止孔85を挟み込んだ状態にすることができる。これにより、支持体220と係止孔85との係止状態が強固なものとなる上に両者の間に隙間を発生させることなく係止状態にすることができ、ガタツキの発生を防止することができる。
（３）本発明においては、支持体220が弾性変形可能であるとともに先端傾斜部241は、その先端側において支持体220からの距離が後方に向かうに従い漸増しているため、後端角部89が前後方向に先端傾斜部241の前後方向の長さ分だけずれても支持体220を押し込むことにより先端傾斜部241と後端角部89とを当接させることができる。これにより先端傾斜部241の前後方向の長さ分だけ係止孔85の板厚（前端角部87と後端角部89との距離）が変動しても対応することができる。
【００２１】
すなわち係止片230が前端角部87に係止する位置と、先端傾斜部241が後端角部89に当接する位置との間の距離に誤差があっても先端傾斜部241により誤差を吸収することができ、良好な係止状態を発生させることができる。このように、係止状態における寸法形状の誤差を吸収することができるため、製造コストを低減することが可能になる。
（４）一方、係止孔85から支持体220を取り外す際には、支持体220を、突条240を設けた側に向かって弾性変形させて移動させると、前端角部87から係止片230が外れ、係止状態を解除することが可能となる。その際に先端傾斜部241は後端角部89に当接しているため、支持体220を後端側へ移動させる力が後端角部89から支持体220に加わり、支持体220は後端側へ移動させられる。これにより支持体220を係止孔85から容易に引き抜くことができる。
（５）本発明では、支持体220の先端に係止片230が設けられているとともに係止片230より後方寄りの位置に突条240が設けられている。支持体220のうち突条240を形成した箇所では剛性が増すことで弾性変形に対する抵抗が増加するが、突条240を形成していない支持体220の先端では突条240による剛性の影響は少ない。これにより、この突条240を設けることによる支持体220の先端の弾性変形への悪影響はない。
【００２２】
（請求項９）
請求項９記載の発明は、遊技機10を構成する構造体に取り付けられるユニット100が、請求項１、２、３、４、５、６、７又は８に記載されたユニット100の取付構造により取り付けられていることを特徴とするものである。
請求項１、２、３、４、５、６、７又は８に記載したユニット100の取付構造によりユニット100を構造体に取り付けた遊技機10を提供することができる。
【発明の効果】
【００２３】
本発明は、以上のように構成されているので、以下に記載されるような効果を奏する。
請求項１記載の発明によれば、ユニットを遊技機の構造体に取り付ける際、寸法形状に誤差があっても対応することができる上に、取付後もガタツキの発生を防止することができ、取り外す際には容易に取り外し可能なユニットの取付構造を提供することができる。
請求項２記載の発明によれば、請求項１記載の発明の効果に加えて、フック部材の修理、交換、製造及び組立等における取扱いを容易にするとともに、フック部材の一部は高剛性構造として破損を防止し、他の一部は弾性変形しやすい構造として寸法誤差を吸収可能なユニットの取付構造を提供することができる。
【００２４】
請求項３記載の発明によれば、請求項２記載の発明の効果に加えて、フック部材だけを交換することができて維持コストを低減させることができるとともに、不正行為を抑制可能なユニットの取付構造を提供することができる。
請求項４記載の発明によれば、請求項３に記載の発明の効果に加えて、フック部材をユニットに取り付けた状態のまま、ユニットの内部状態を確認することができ、不正行為の痕跡を外部から発見可能なユニットの取付構造を提供することができる。
請求項５記載の発明によれば、請求項２、３又は４に記載の発明の効果に加えて、障害物を避けてフック部材を係止させることができるとともに、１回の操作を行うことで、係止状態の解除が可能なユニットの取付構造を提供することができる。
【００２５】
請求項６記載の発明によれば、請求項５に記載の発明の効果に加えて、フック部材の特定の箇所だけに応力が集中して特定の箇所のみが減耗したり破断するようなことが抑えられるユニットの取付構造を提供することができる。
請求項７記載の発明によれば、請求項２，３、４、５又は６に記載の発明の目的に加えて、ユニットの取付作業の際、ユニットの全体重量を手で支える必要がなく、その係止作業に集中することができ、フック部材にユニットの重量による負荷が集中せずにフック部材の破損を防止することができるとともに取り付け作業が容易なユニットの取付構造を提供することができる。
【００２６】
請求項８記載の発明によれば、請求項２に記載の発明の効果に加えて、ユニットを遊技機の構造体に取り付ける際、寸法形状に誤差があっても対応することができる上に、取付後もガタツキの発生を防止することができ、取り外す際には容易に取り外し可能なユニットの取付構造を提供することができる。
請求項９記載の発明によれば、請求項１、２、３、４、５、６、７又は８に記載したユニットの取付構造によりユニットを構造体に取り付けた遊技機を提供することができる。
【図面の簡単な説明】
【００２７】
【図１】本発明の実施の形態であって、遊技機を示す外観正面図である。
【図２】本発明の実施の形態であって、前扉の裏側を示す外観斜面図である。
【図３】本発明の実施の形態であって、前扉の上部に演出ユニットを取り付けた状態を示す前扉の一部背面図である。
【図４】本発明の実施の形態に係る演出ユニットであって、（ａ）は平面図、（ｂ）は正面図、（ｃ）は右側面図である。
【図５】本発明の実施の形態に係る演出ユニットであって、（ａ）は正面側の斜め横上方から見たときの外観斜視図、（ｂ）は正面側の斜め横側方から見たときの外観斜視図、（ｃ）は裏面側の斜め横上方から見たときの外観斜視図である。
【図６】本発明の実施の形態に係るフック部材であって、（ａ）は正面側の斜め横上方から見たときの外観斜視図、（ｂ）は正面側の斜め横側方から見たときの外観斜視図、（ｃ）は裏面側の斜め横上方から見たときの外観斜視図である。
【図７】本発明の実施の形態に係るフック部材であって、（ｄ）は平面図、（ｅ）は正面図、（ｆ）は右側面図である。
【図８】本発明の実施の形態であって、（ａ）は演出ユニットを前扉の裏面側の上部に取り付けようとしている状態の外観斜視図、（ｂ）は（ａ）の一部拡大図である。
【図９】本発明の実施の形態であって、前扉に演出ユニットを取り付けた状態を示す一部平面図である。
【図１０】本発明の実施の形態であって、（ａ）はフック部材が取り付けられる演出ユニットの正面側の斜め横上方から見たときの一部外観斜視図、（ｂ）はフック部材が取り付けられる演出ユニットの裏面側の斜め横上方から見たときの一部外観斜視図である。
【図１１】本発明の実施の形態に係るフック部材を演出ユニットの上部から取り外す過程（又は取り付ける過程）を示すとともに、（ａ）〜（ｃ）は一の断面、（ｄ）〜（ｆ）は他の断面を示すものであって、（ａ）及び（ｄ）は取り付けた状態、（ｂ）及び（ｅ）はフック部材を演出ユニットの上方へ引き抜いた（又は下方へ押し込もうとしている）状態、（ｃ）及び（ｆ）は、フック部材を取り外した後（又は取り付ける前）の状態をそれぞれ示す一部縦断面図である。
【図１２】本発明の実施の形態に係る演出ユニットの軸部を前扉の裏面側の軸受部に取り付ける過程（又は取り外す過程）を示すものであって、（ａ）は演出ユニットの軸部を前扉の軸受部に取り付ける前（又は取り外した後）の状態を示す右側面図、（ｂ）は演出ユニットの軸部を前扉の軸受部に取り付けた後（又は取り外す前）の状態を示す右側面図である。
【図１３】本発明の実施の形態であって、（ａ）〜（ｃ）は、図１２の（ｂ）の状態からフック部材の支持体を前扉の係止孔に押し込んで、係止片を被係止部に係止させる途中までの過程を示す一部縦断面図である。
【図１４】本発明の実施の形態であって、（ｄ）〜（ｆ）は、図１３の（ｃ）の状態からフック部材の支持体を前扉の係止孔に押し込んで、係止片を被係止部に係止させる過程を示す一部縦断面図である。
【図１５】本発明の実施の形態であって、図１４（ｆ）における支持体が係止孔に押し込まれて、係止孔が前端角部に係止されている状態を示す一部拡大縦断面図である。
【図１６】本発明の他の実施の形態であって、（ａ）は支持体の前部にスリットを２つ設けた支持体の前部の平面図、（ｂ）は３つに分割された支持体の先端の２つにのみ係止片を設けた支持体の前部の平面図、（ｃ）は突条を２つのスリットのうち１のスリットの幅の間にのみ設けた支持体の前部の平面図、（ｄ）は３つに分割された支持体の長さが左右と中央とで異なるようにした支持体の前部の平面図である。
【図１７】本発明の他の実施の形態であって、係止片が所定距離だけ後方側にずれた位置に設けられている支持体を示す一部拡大縦断面図である。
【発明を実施するための形態】
【００２８】
本明細書では、各説明箇所において、方向についての定義等が示されていない場合には、遊技機の方を向いて位置している遊技者から見て、遊技機から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機としてのスロットマシンを、以下、図１を参照しながら説明する。本実施の形態に係る遊技機10としてのスロットマシンは、前方向に向かって開口する正面開口を有する四角箱状の筐体11と、この筐体11の正面開口を開閉自在に覆う前扉14とを備えている。
【００２９】
前扉14の上部には、薄板樹脂からなる上パネル12aを備えている。この上パネル12aの略中央には、３個の回転リール40の円周上の図柄を見ることができる透過可能な図柄表示窓13が形成されている。この図柄表示窓13は、３個全ての回転リール40の回転が停止した際には、縦３列横３行に配置した合計９個の図柄を遊技者に見せるように形成されている。
前記図柄表示窓13の奥には、３個の駆動モータによって図柄表示手段としての回転リール40を回転させるためのリールユニット60が配置されている。
前記前扉14には、遊技者に役抽選の当選等を音や光や映像で報知させる報知手段66が形成されている。この報知手段66は、前扉14に配置されたスピーカー67と、液晶パネル68と、報知ランプ69とを備えている。
【００３０】
この液晶パネル68は、その画面に種々の映像を表示するための表示デバイスであり、動画を含んだ映像の表示を行うための演出ユニット110を構成するものである。ここで、液晶パネル68は、図柄表示窓13の上方に配置され、かつ、横幅が図柄表示窓13の横幅と略同じ寸法となっている。この液晶パネル68は、遊技を行う遊技者の顔の方に向けて遊技者が見やすいように僅かに斜め下方側に傾斜している。また、傾斜させたことで室内照明等の光が液晶パネル68の画面に反射して遊技者の目に入らないように形成されている。
液晶パネル68と同様に、演出ユニット110は、図柄表示窓13の上方に配置され、かつ、横幅が図柄表示窓13の横幅と略同じ寸法となっている。この演出ユニット110は、上述の液晶パネル68と、液晶パネル68の表示動作を制御するための表示制御基板（図示せず）と、液晶パネル68を前面側に配置するとともに表示制御基板を内部に収納するカバー部材112（図２参照）とを備えている。
【００３１】
前記前扉14の下部には下パネル12bが設けられている。そして、前扉14は下パネル12bの上に位置して前扉14の前方向へ向けて突出する操作部19を備えている。
本実施の形態に係る遊技機10には、遊技開始の条件として投入するためのメダルを後述するメダル投入口18からあらかじめ投入して、最大５０枚までクレジットメダルとして内部に貯留可能なクレジット機能を有している。なお、このクレジットメダルとして貯留可能な最大枚数である５０枚を最大クレジットメダル数とする。
前記操作部19の右側には、遊技媒体としてのメダルを投入するためのメダル投入口18が設けられている。このメダル投入口18の下には、クレジット機能によりクレジットしたメダルの全てを払い出すための精算スイッチ17が設けられている。この精算スイッチ17の左側には、操作により対応する回転リール40の回転を停止させるため、３個の回転リール40のそれぞれに対応する３個のストップスイッチ50が設けられている。このストップスイッチ50の左側には、メダルの投入又はベットスイッチ16の操作を条件に回転リール40の回転を開始させるためのスタートスイッチ30が設けられている。このスタートスイッチ30の上には、クレジットしたメダル数を３枚減じて３枚のメダル投入に代えるマックスベットスイッチ16mと、クレジットしたメダル数を１枚減じて１枚のメダル投入に代えるシングルベットスイッチ16sとが設けられている。
【００３２】
前記前扉14の下部の奥には、いわゆるホッパーユニットであって、メダルを貯留することができるとともに、メダルを払い出すことができる貯留払い出し手段65と、電源投入又は電源遮断のための操作が可能な電源スイッチを有すると共に各部品に電力を供給するための電源装置5とが配置されている。
そして、前扉14の下部には、所定の役の図柄が所定のライン（所定の役の図柄が揃ったときに入賞となるラインのことであり、以下、有効ラインとする）上に表示され、かつ、クレジットされているメダル数が５０枚に到達している場合に、貯留払い出し手段65からメダルが払い出されるメダル払出口32が形成されている。このメダル払出口32の下方には、メダル払出口32から払い出されたメダルを貯留するため、上方に向かって開口する皿状のメダル受け皿33が形成されている。なお、クレジットされているメダル数が最大クレジットメダル数である５０枚未満の場合は、５０枚に到達するまで、入賞により獲得したメダルはメダル払出口32から払い出されずにクレジットメダルの枚数に加算される。
【００３３】
本実施の形態に係る遊技機10は、マックスベットスイッチ16m等の操作又はメダル投入により所定枚数のメダルを投入することにより遊技の開始を可能とするものである。そして、スタートスイッチ30の押下操作により、回転リール40の回転を開始させて遊技が開始されるとともに、役抽選が行われる。そして、当該遊技機10は、各回転リール40に対応するストップスイッチ50の押下タイミング及び役抽選の結果に基づいて、回転リール40の回転を役抽選の結果に適合するように停止させる。当該遊技機10は、停止時の図柄の組み合わせによって、当選した役を構成する図柄の組み合わせが有効ライン上に停止表示された場合に、所定枚数のメダルを払い出す等の所定の特典（利益）を遊技者に付与するものである。
【００３４】
遊技機10の内部には、遊技機10の全体の動作を制御するための制御装置が形成されている。前記制御装置は、遊技を進行させて遊技状態を制御する遊技制御装置としてのメイン基板と、このメイン基板からの信号を受けて、遊技内容に関する情報を遊技者に報知するための演出を行うために演出状態を制御する演出制御装置としてのサブ基板とを備えている。メイン基板は、役抽選を行うとともに、リールユニット60及び貯留払い出し手段65の作動を制御する。サブ基板は、メイン基板から信号を入力し、報知手段66の作動を制御する。サブ基板の出力側には、報知手段66としてのスピーカー67、液晶パネル68、報知ランプ69の各パーツが接続されている。
【００３５】
メイン基板と、サブ基板とは、それぞれ専用の基板ケース70の内部に収納されている。具体的には、メイン基板は、メイン基板ケース71の内部に収納され、サブ基板は、サブ基板ケース72の内部に収納されている。そして、メイン基板ケース71は、筐体11内部の奥側の上部に固定され、サブ基板ケース72は、筐体11内部の正面から向かって左側に固定されている。
図２に示すように、前扉14の裏面側の図柄表示窓13の上には、演出ユニット110が取り付けられている。演出ユニット110及び前扉14には、演出ユニット110を前扉14に軸支させる軸支手段82が形成されている。演出ユニット110は、その側面下部を前扉14に軸支するため左右側面の下部からそれぞれ横方向に突出する軸支手段82としての軸部111（図４、５参照）と、その上部中央を前扉14に係止するためのフック部材210とを備えている。このフック部材210は、透明なポリカーボネート樹脂で制作されている。
【００３６】
前扉14の裏面側であって図柄表示窓13の上方の左右には、演出ユニット110の軸部111を軸支する軸支手段82としての軸受部83が形成されている（図３参照）。この軸受部83には、軸部111が挿通可能な上方に向かって開口を有する溝状の開口溝84（図１２参照）が設けられている。左右の開口溝84内に演出ユニット110の左右の軸部111がそれぞれ上方から挿入されることにより、演出ユニット110の左右側面の軸部111が軸受部83により回動可能に軸支される。
また、前扉14の裏面側の上部には、水平方向に沿って前扉14の裏面側から後方に向かって突出する水平突出片92が設けられている。この水平突出片92の中央上部には、メッキを施したＡＢＳ樹脂により製作されＸ字状の骨組みからなるＸ字状部材93が設けられている（図３及び図８（ｂ）参照）。このＸ字状部材93のＸ字状にクロスした部分の下部と水平突出片92とで囲まれる領域により、前記フック部材210の先端を係止可能な係止孔85が設けられている。
【００３７】
本実施の形態に係るユニット100の取付構造は、遊技機10を構成する構造体としての前扉14にユニットとしての演出ユニット110を取り付けるためのものである。
なお、ここで、本実施の形態に係るユニット100とは、遊技機10を構成する構造体としての筐体11や前扉14に取り付けられるものであって、いくつかの部品等を組み合わせて特定の機能を果たすものの構成単位としての装置である。
また、本実施の形態に係る演出ユニット110とは、前記ユニット100のうちの1つであって、前扉14の正面側の画面（報知手段66）に様々な映像を表示させるための装置である。具体的には、演出ユニット110は、既に説明したように前扉14の裏面側に固定される液晶表示装置としての液晶パネル68を有する。
本実施の形態に係るユニット100の取付構造は、前記フック部材210と前記係止孔85とを備えている。
前記係止孔85は、前扉14の裏面側に設けられているとともにフック部材210の先端側の上部が係止する被係止部86としての前端角部87と、前扉14の裏面側に設けられているとともに前記被係止部86よりも後方に設けられてフック部材210の先端側の下部が当接する被当接部88としての後端角部89とを備えている（図１５参照）。なお、この後端角部89も、Ｘ字状部材93と同様にメッキを施したＡＢＳ樹脂で製作されている。
前記軸支手段82により演出ユニット110を前扉14に向けて回動させることで、フック部材210を係止孔85に押し込むことができる。この係止孔85にフック部材210の上部先端側に設けられた支持体220（図６、図７参照）が押し込まれることにより係止状態となる（図１２、図１３、図１４参照）。なお、この係止過程等については後で詳細に説明する。
【００３８】
前記フック部材210には、演出ユニット110に取り付けた際に演出ユニット110の外部から演出ユニット110内部の状態を視認可能な透明部材からなる内部視認部263が設けられている。この内部視認部263のうち、演出ユニット110の裏面側から演出ユニット110の内部状態を観察可能な裏面視認部265が、フック部材210の裏面側に形成されている。また、内部視認部263のうち、演出ユニット110の上面側から演出ユニット110の内部状態を観察可能な上面視認部264が、フック部材210の上面側に形成されている。
図３に示すように、前扉14の裏面側上部のＸ字状部材93のＸ字のクロスした部分の下部と水平突出片92との間からなる係止孔85にフック部材210の上部先端側に設けられた支持体220が押し込まれている。また、前扉14には、演出ユニット110の軸部111（図４，図５参照）を軸支可能な軸支手段82としての軸受部83が、演出ユニット110の左右側面の下部に形成されている。
【００３９】
図４、図５に示すように、演出ユニット110は、全体形状が略直方体状であって、正面側に液晶パネル68が配置され、その裏面側に表示制御基板（図示せず）を内包するカバー部材112が形成されている。この液晶パネル68とカバー部材112とは、カバー部材112の左側面及び右側面に形成した係止フック片（図示せず）を液晶パネル68の左側面及び右側面に係止させることで、互いに組み付けられてユニット化されている。カバー部材112の上面中央には、演出ユニット110を前扉14に仮止めするためのフック部材210が固定されている。
前記軸部111は、液晶パネル68の左側面の下部と、右側面の下部とに同一中心軸となるような位置に形成されている。軸部111は演出ユニット110の左側面及び右側面から横方向の外方に向かって突出するとともに縦断面が略円形状に形成されている。
前記カバー部材112の上面には、演出ユニット110を前扉14の裏面側にネジ等の締結部材で固定するための固定孔113が左右に２つ形成されている。この固定孔113は、演出ユニット110を前扉14の裏面側に取り付けた際、前扉14の裏面側に設けた固定ネジ孔94（図８参照）と同一中心軸となるような位置に形成されている。固定孔113の内壁にはネジが切られてなく、固定ネジ孔94の内壁にはネジが切られてある。演出ユニット110の下部を軸支手段82により軸支して演出ユニット110の上部をフック部材210及び係止孔85により仮固定した状態で、前扉14の裏面側から固定孔113にネジを通して、当該ネジを前扉14の裏面側の固定ネジ孔94（図８参照）にねじ込むことにより、ネジ頭部と固定ネジ孔94との間に固定孔113を挟みこんで固定される。これにより、演出ユニット110が前扉14の裏面側に固定される。なお、固定孔113は、縦方向に長い楕円状に形成されていることで、取付位置の上下方向に多少の誤差が生じても対応可能に形成されている。
【００４０】
図６（ａ）〜（ｃ）、図７（ｄ）〜（ｆ）に示すように、フック部材210は、演出ユニット110とは別体に設けられているものであって、全体が透明樹脂からなる一体成形により形成されているものである。フック部材210は、弾性を有する支持体220と、この支持体220と演出ユニット110とを連結するベース部250とを備えている。
前記支持体220の先端側における上面には、上方に向かって突出する縦断面形状が直角三角形状の係止片230が形成されている。また、前記支持体220の下面には、この下面から下方に向かって突出するとともに係止片230より後方寄りの位置に設けられる突条240が形成されている。
【００４１】
前記支持体220は、図７（ｄ）に示すように、支持体220の後側であって突条240が設けられている部分である後部221と、支持体220の前側であって突条240が設けられていない部分である前部222とから形成されている。
前記前部222は、先端から後部221まで板厚方向に貫通する１のスリット223が設けられていることで２つに分割されている。この分割されたそれぞれが先端側に係止片230を有するとともに独立して弾性変形可能に形成されている。
なお、本実施の形態では、１のスリット223により前部222が２つに分割されているが、スリット223の数は１に限定されるものではなく、２以上のスリット223により前部を３以上に分割してもよい（図１６（ａ）〜（ｄ）参照）。また、スリット223により支持体220の先端側を複数に分割した場合、それぞれの先端部分の前後方向の長さは、必ずしも同じ長さでなくても良い（図１６（ｄ）参照）。これにより、先端部分の長さを異ならせることで、被係止部の位置が前後方向に異なるような場合にでも対応することができる。また、係止片230は、本実施の形態では、分割された前部222のそれぞれに設けてあるが、必ずしもこれに限定されるものではなく、分割された前部222の少なくとも１つに設けてあればよい（図１６（ｂ）参照）。また、係止片230を設ける位置も、必ずしも前部222の先端に限定されるものではなく、先端から後端側にずれた位置に係止片230を設けてもよい（図１７参照）。
【００４２】
なお、本実施の形態では、支持体220は、板状に形成されているが、特にこの形状に限定されるものではなく、上下方向に弾性変形可能なものであれば棒状、筒状、円錐状等の他の形状であってもよい。
前記係止片230は、前部222の先端から後方に向かうに従い上方に向かって突出する突出距離が漸増する上傾斜面231と、この上傾斜面231の上端から下方に向かって段差状に延設された上段差部232とにより縦断面形状が略直角三角形状に形成されている。なお、係止片230の先端と上端とには、人が接触した時に発生する可能性のある怪我を防止するとともに係止孔85の内壁との接触による破損を防止することを目的として面取り部234が形成されている（図１５参照）。
【００４３】
前記突条240は、支持体220の幅方向の中央となる位置であって、且つスリット223の幅の中央となる位置に設けられている。この突条240は、板状の支持体220の下面から鉛直下方に向かって突出するとともに前後方向（支持体220が係止孔85に向かって挿入される方向）と平行な薄板状からなるものである。なお、突条240を設ける位置は、必ずしも上述したものに限定されるものではなく、スリット223の幅の中央でなくてもよいものであって、支持体220の弾性変形による上下方向の揺動を阻害しない範囲であればスリット223の幅の中央からずれた位置でも良い。また、支持体220の先端側に複数のスリット223を設けるような場合、少なくとも１のスリット223の幅の間に突条240が形成されれば良い（図１６（ｃ）参照）。
【００４４】
前記突条240の先端側の角部付近の辺縁には、鉛直方向から斜め約４５度の傾斜角度に切り欠かれて支持体220の下面からの距離が後方に向かうに従い漸増する先端傾斜部241が設けられている。もちろん、先端傾斜部241は、この傾斜角度に限定されるものではなく、この傾斜角度よりも急角度又は緩やかな角度に形成されてもよい。また、先端傾斜部241は、その傾斜角度が１つの角度で設定されるものに限定されるものではなく、前後方向で２以上の角度を設けて折れ線状に形成されてもよい。また、先端傾斜部241の端縁は、必ずしも直線状に限定されるものではなく、曲線状に形成されてもよい。
前記突条240の先端側の上部には、棒状の棒状軸部242が形成されている。この棒状軸部242は、前記スリット223の後端側であってスリット223の幅方向の中央となる位置から先端側に向かって棒状に突出しているものである。この棒状軸部242の下面と、後部221の下面とから連続する１枚の薄板状の前記突条240が下方に向かって突出するように形成されている。この棒状軸部242を設けたことにより先端傾斜部241を有する突条240の先端側の剛性を高めることができ、被当接部88等からの外力を受けた突条240の破損や変形を防止することができる。
【００４５】
先端傾斜部241は、支持体220を係止孔85に押し込む際、後端角部89に当接することにより、支持体220の全体を上方に向かって移動させるためのガイドとなるように形成されている。なお、先端傾斜部241は突条240の先端側に形成されているが必ずしもこれに限定されるものではなく、突条240の先端よりも後端側にずれた位置に形成してもよいものである。
前記フック部材210は、係止片230が被係止部86としての前端角部87に係止しているとき、先端傾斜部241が被当接部88としての後端角部89に当接するように形成されている（図１５参照）。すなわち、係止片230と先端傾斜部241とは、係止孔85の前後方向の縁に位置する前端角部87と後端角部89とを密着して挟み込み可能に形成されている。また、係止片230が前端角部87に係止しているとき先端傾斜部241が後端角部89に当接している。具体的には、係止片230が前端角部87に係止している際に先端傾斜部241の前後方向の範囲内に後端角部89が位置するように、フック部材210及び係止孔85が形成されている。これにより、支持体220の上下方向のガタツキを防ぐことができる。
【００４６】
前記支持体220は、前後方向の中央付近が僅かに上方に向かって凸状となる弓なりな形状に形成さている。この支持体220の前後方向の中央付近には、作業者が支持体220を上方から下方に向かって押し込むことが可能な係止解除操作部224が設けられている。
演出ユニット110が前扉14の裏面側に仮固定された状態において、支持体220はその全部が係止孔85の内部へ進入せずに係止解除操作部224を含む半分以上の部分が演出ユニット110の外部に向かって露出するように形成されている。この支持体220は、弾性を有する樹脂からなるものであって、ベース部250の上面を中心に上下方向に揺動可能に形成されている。上下方向に揺動可能な支持体220が外部へ露出しているため、支持体220の上面の係止解除操作部224を下方に向かって押下すれば、支持体220を介して係止片230が下方に移動し、係止片230と前端角部87との係合状態が解除可能となる。さらに、支持体220の下面には先端傾斜部241を有する突条240が形成されているため、先端傾斜部241の傾斜に従って、突条240を後方へ移動させる力がフック部材210に作用し、係止孔85からフック部材210を容易に引き抜くことができる。
【００４７】
前記ベース部250は、演出ユニット110の表面に開口する開口部120（図１０参照）に取り付けられて開口部120を覆う取付部260と、この取付部260の上面に設けられて支持体220を固定するための台部280とを備えている。
前記取付部260は、カバー部材112の裏面側の表面に連続するとともに開口部120の裏面側を覆う蓋状の裏面蓋部262と、カバー部材112の上面側の表面に連続するとともに開口部120の上面側を覆う方形板状の上板部261とを備えている。
前記裏面蓋部262の左右の外側面と、開口部120の左右の内側面には、フック部材210をカバー部材112から取り外す際に取り外す方向が上下方向（すなわち係止片230が支持体220から突出する方向と同一の方向）となるようにフック部材210を上下方向にスライド可能な上下スライド手段282が形成されている。この裏面蓋部262の上下スライド手段282は、裏面蓋部262の左側面及び右側面の上部外面から側方に突出する帯板状の上スライド片283と、裏面蓋部262の左側面及び右側面の下部外面から側方に突出する帯板状の下スライド片284とを備えている。一方、開口部120の上下スライド手段282は、開口部120の左右側面の上スライド片283に対応する位置に設けられているとともに上スライド片283の上下方向の移動を案内する上案内片135と、開口部120の左右側面の下スライド片284に対応する位置に設けらているとともに下スライド片284の上下方向の移動を案内する下案内片136とを備えている（図１０（ｂ）、図１１（ｄ）（ｅ）（ｆ））。この上スライド片283が上案内片135に沿って上下方向にスライドするとともに、下スライド片284が下案内片136に沿って上下方向にスライドすることにより、フック部材210を演出ユニット110から取り外す際（又は取り付ける際）に取付部260の開口部120からの取り外し方向が上方向（又は取り付ける方向が下方向）となる（図１０（ｂ）、図１１（ｄ）（ｅ）（ｆ）参照）。
【００４８】
前記取付部260には、フック部材210を演出ユニット110に取り付けた際に演出ユニット110の外部から演出ユニット110内部のコネクタの接続状態を視認可能な平板状の透明部材からなる内部視認部263が設けられている。この内部視認部263は、裏面蓋部262の裏面側に位置して演出ユニット110の裏面側から内部状態を視認可能な平板状の透明部材からなる裏面視認部265と、上板部261の正面から向かって左側に位置して演出ユニット110の上面側から内部状態を視認可能な平板状の透明部材からなる上面視認部264とを備えている。
前記上板部261の正面から向かって右側の先端側には、上下方向に貫通する差込孔273が設けられている。また、裏面蓋部262の下面には、その下面から下方に向かって方形板状に延設される延設片271が設けられ、この延設片271の下端には、先端側に向かって折り曲げられた折曲部272が設けられている。
【００４９】
一方、開口部120の先端側の上部であって差込孔273に対応する位置には、上端が楔状の楔状弾性片132が上方に向かって突出するように形成されている（図１０（ａ）（ｂ）、図１１（ａ）（ｂ）（ｃ））。また、開口部120の後端側の下部であって延設片271の折曲部272に対応する位置には、上端が前方に僅かに膨出する引掛部131が上方に向かって突出するように形成されている（図１０（ａ）（ｂ）、図１１（ａ）（ｂ）（ｃ））。
フック部材210をカバー部材112の開口部120に下方向にスライドして取り付ける際、前記差込孔273には楔状弾性片132が押し込まれ、折曲部272には引掛部131が引っ掛かることで、フック部材210が開口部120に取付られるように形成されている（図１１（ａ）（ｂ）（ｃ）参照）。
【００５０】
前記台部280は、取付部260の上板部261の上面の正面から向かって右側に台状（テーブル状）に形成されている。この台部280の上面には、支持体220の後端側が形成されている。
図８（ａ）（ｂ）に示すように、演出ユニット110は、軸支手段82により下部の軸部111が前扉14の裏面側の軸受部83に軸支される。その状態で、演出ユニット110の上部を前扉14側に向かって回動させると、フック部材210の支持体220が係止孔85に押し込まれるように形成されている。
前扉14の裏面側のＸ字状部材93のＸ字状のクロスした中央には、このＸ字状部材93と当該Ｘ字状部材93の前側に位置する部材とを固定するための中央ネジ孔91が形成されている。この中央ネジ孔91が設けられていることにより、Ｘ字状部材93のＸ字状にクロスした部分の下側であって、係止孔85の上部には、係止孔85の内部に向かって突出する膨出部90が形成されている。軸支手段82により下部が軸支された演出ユニット110を回動させて、フック部材210の支持体220を係止孔85に押し込む際、スリット223により分割された２つの支持体220は、係止孔85のうち膨出部90の左右の位置に押し込まれるように形成されている。
【００５１】
前扉14の裏面側であって、演出ユニット110の上部左右の固定孔113に対応する位置には、固定ネジ孔94が形成されている。フック部材210の支持体220を係止孔85に押し込んで仮止め状態となった後、演出ユニット110の上部左右の固定孔113にネジを通して固定ネジ孔94に締結することで、固定孔113と固定ネジ孔94とがネジを介して固定される。
図９に示すように、フック部材210の支持体220を係止孔85に押し込むと、支持体220の係止片230の上段差部232が、被係止部86としての前端角部87に係止される（図１５参照）。
前記上面視認部264が、フック部材210の取付部260の上板部261に形成され、その上面視認部264の上方周囲には、演出ユニット110の上方から見て、上面視認部264を遮るようなものが無い。すなわち、演出ユニット110の上方から上面視認部264を介して演出ユニット110の内部状態を確認可能に形成されている。
【００５２】
図１０（ａ）（ｂ）に示すように、演出ユニット110のフック部材210が取り付けられる部分には、カバー部材112により覆われてないとともに上方及び後方に開口する開口部120が形成されている。フック部材210を取り付ける前や、フック部材210の取付後にフック部材210を取り外すと、この開口部120を介して演出ユニット110の内部状態をカバー部材112を取り外すことなく直接見ることができるとともに工具等を挿入することができるように形成されている。さらに、フック部材210を演出ユニット110に装着した後も、更にその演出ユニット110を前扉14に固定した後であっても、裏面視認部265及び上面視認部264からなる内部視認部263を介して、演出ユニット110の内部状態を視認可能に形成されている。
【００５３】
前記楔状弾性片132は、演出ユニット110の開口部120の前側に形成されている。この楔状弾性片132は、上方に向かって突出するとともに、前後方向に弾性変形して揺動可能に形成されている。この楔状弾性片132の上端には、前側に向かって楔状に突出する楔状突出部133が形成されている。この楔状弾性片132は、フック部材210の差込孔273に差込可能に形成されている。この楔状弾性片132は、フック部材210を上方から押し込むと揺動することにより簡単に差込孔273に押し込まれるが、一旦、差込孔273に入り込むとフック部材210を上方に引き抜こうとしても楔状突出部133が差込孔273の周縁に当接して容易には抜けない（係止状態が解除できない）ように形成されている。その係止状態を解除する場合には、楔状弾性片132の上端を後側に押して、楔状突出部133が差込孔273の周縁から外れるようにすると、差込孔273から楔状弾性片132を取り外すことができ、フック部材210を演出ユニット110から取り外すことができる。
【００５４】
前記引掛部131は、演出ユニット110の開口部120の下部に形成されている。この引掛部131は、開口部120の下部から上方に向かって突出するとともにその上端が前方に向かって僅かに膨出しているものである。フック部材210が上下スライド手段282により上下方向にスライドして、延設片271が引掛部131の前側に一旦入り込むと、フック部材210を上方向に引き抜こうとしても延設片271の下端の折曲部272が、引掛部131に引っ掛かり、フック部材210の上方向への移動が阻止されるように形成されている（図１１（ａ）（ｂ）（ｃ）参照）。
前記上下スライド手段282としての前記上案内片135は、開口部120の上部の左右内面から開口部120中央に向かって帯板状に突出するとともにフック部材210の上スライド片283を上下方向にスライド可能に案内することができるように形成されている。
【００５５】
前記上下スライド手段282としての前記下案内片136は、開口部120の下部の左右内面から開口部120中央に向かって帯板状に突出するとともにフック部材210の下スライド片284を上下方向にスライド可能に案内することができるように形成されている。
図１１（ａ）（ｂ）（ｃ）は、連結手段130により開口部120に装着されたフック部材210を取り外す過程を順に示している
図１１（ａ）に示すように、フック部材210を開口部120に装着した状態では、楔状弾性片132の先端の楔状突出部133が差込孔273の内部に押し込まれ、楔状突出部133が差込孔273よりも上方に位置している。この楔状突出部133が差込孔273の周縁に係止していることにより、そのままでは、差込孔273を楔状弾性片132を引から上方に向かって引き抜くことはできない。また、延設片271の先端の折曲部272が、引掛部131に引っ掛かった状態（係止状態）であり、そのままでは、延設片271を上方に引き抜こうとしても、折曲部272と引掛部131との係止状態を解除することはできない。結果として、このようにフック部材210が開口部120に装着された状態にあっては、フック部材210を開口部120から上方に向かって引き抜こうとしてもできない状態である。
【００５６】
特に図示していないが、作業者等が楔状弾性片132を楔状突出部133が突出する方向と反対方向に向かって弾性変形させると、楔状突出部133が差込孔273の周辺から外れて、フック部材210を僅かに傾けることで楔状弾性片132を差込孔273から外すことができる。その結果、フック部材210を僅かに前後方向に移動することができるようになり、フック部材210を前側に僅かに移動させると、折曲部272が、引掛部131から外れる。その結果、図１１（ｂ）に示すように、フック部材210全体を開口部120から上方に向かって移動させることができる。
図１１（ｃ）に示すように、上記過程により、フック部材210を開口部120から完全に取り外すことができる。
【００５７】
逆に、図１１（ｃ）（ｂ）（ａ）は、連結手段130によりフック部材210を開口部120に装着する過程を順に示している。演出ユニット110の開口部120にフック部材210を装着する場合には、フック部材210を開口部120に上方向から押し込むことにより、図１１（ｃ）（ｂ）（ａ）の順序で、楔状弾性片132が差込孔273に押し込まれて係止状態になるとともに折曲部272が引掛部131に引っ掛かり、係止状態となる。
図１１（ｄ）（ｅ）（ｆ）は、上下スライド手段282により開口部120に装着されたフック部材210を取り外す際、フック部材210を上方向にスライドさせて取り外される過程を順に示している
図１１（ｄ）に示すように、フック部材210が開口部120に装着された状態では、上下スライド手段282は、上スライド片283が上案内片135の前側とカバー部材112との間の隙間に入り込むとともに、下スライド片284が下案内片136の前側とカバー部材112との間の隙間に入り込んだ状態となる。この状態では、フック部材210の前後方向の移動が制限され、他の制限（連結手段130による上下方向の制限）が無ければ上下方向にのみスライド可能な状態となる。
【００５８】
図１１（ｅ）に示すように、フック部材210の他の制限である連結手段130による上下方向の制限（差込孔273と楔状突出部133との係止、折曲部272と引掛部131との係止）が解除されることにより、上スライド片283は、上案内片135に沿って、また、下スライド片284は、下案内片136に沿って、上方向に移動することができる。
図１１（ｆ）に示すように、フック部材210が上方に移動して、上下方向への移動以外を制限する上下スライド手段282の制限から外れ、フック部材210を自由に移動させることができ、フック部材210を完全に取り外すことができる。
逆に、図１１（ｆ）（ｅ）（ｄ）は、上下スライド手段282によりフック部材210を開口部120に装着する際、下方向にスライドして装着される過程を順に示している。演出ユニット110の開口部120にフック部材210を装着する場合には、図１１（ｆ）（ｅ）（ｄ）の順序で、フック部材210を開口部120に上方向から押し込む。そうすると上下スライド手段282により、上スライド片283が上案内片135に案内されるとともに下スライド片284が下案内片136に案内される。これにより、フック部材210が下方向にスライドするとともに連結手段130を介して開口部120に装着される。
【００５９】
図１２（ａ）黒矢印に示すように、前扉14の裏面側に演出ユニット110を固定する場合には、フック部材210を装着した演出ユニット110が前扉14の裏面側の斜め上方から、演出ユニット110の軸部111が前扉14の裏面側の開口溝84に入り込むように差し込む。
そして、図１２（ｂ）に示すように、軸部111が軸受部83に軸支された状態となることで、演出ユニット110は軸部111を回転の中心として前後方向に揺動可能な状態となる。その状態において、演出ユニット110の上部を前側に向かって押し込むと、演出ユニット110の上部のフック部材210の支持体220が、前扉14の裏面側の係止孔85に入り込む。支持体220が係止孔85に入り込んだら、そのまま、演出ユニット110の上部を前側に向かってさらに押し込むだけで、支持体220の先端側の係止片230が前端角部87に係止され、仮止め状態にすることが可能となる（図１３、図１４参照）。
【００６０】
支持体220を係止孔85に押し込んで係止状態（仮止め状態）とする過程を図１３（ａ）〜（ｃ）、図１４（ｄ）〜（ｆ）を用いて説明する。
先ず、図１３（ａ）に示す状態は、図１２（ｂ）に示すように演出ユニット110の軸部111が前扉14の裏面側の軸受部83に軸支されている状態であり、演出ユニット110が軸部111を回転の中心として前後方向に揺動可能な状態である。
図１３（ｂ）に示すように、演出ユニット110の上部を前側に向かって押し込むと、演出ユニット110の上部のフック部材210の支持体220が、係止孔85に入り込む。その際、係止片230の前側には上傾斜面231が設けられていることにより、上傾斜面231が係止孔85の後端側の上縁部に当接すると、その上縁部により上傾斜面231が下方に押されながら、支持体220の先端が係止片230の内部に案内される。
【００６１】
図１３（ｃ）に示すように、係止片230が係止孔85の内部に入り込んだ状態で、さらに演出ユニット110が前側に押し込まれると、支持体220は係止孔85の前側に向かって移動する。係止片230は支持体220の上面から上方に向かって突出するように形成されているため、係止孔85の内壁上面に係止片230が押されて支持体220が下方に弾性変形する。
図１４（ｄ）に示すように、更に演出ユニット110が前側に向かって押し込まれると、支持体220が係止片230の内部を前側に向かって移動する。その際、支持体220の下面から下方に突出する突条240の先端傾斜部241が後端角部89に当接する。
図１４（ｅ）に示すように、更に演出ユニット110が前側に向かって押し込まれると、先端傾斜部241が後端角部89に沿って乗り上げるような状態で前側に押しこまれる。その際、傾斜している先端傾斜部241は後端角部89によって上方に押されて、支持体220全体は上方に向かって移動する。
【００６２】
図１４（ｆ）に示すように、更に演出ユニット110が前側に向かって押し込まれると、先端傾斜部241は後端角部89により更に上方に向かって押されて、支持体220を上方に向かって押し込むことになる。弾性変形により支持体220が元に戻ろうとする力と、先端傾斜部241が後端角部89により上方に向かって押される力との合力により、支持体220を更に上方向に移動させようとする作用が働く。そして、係止片230の上段差部232が係止孔85の前端角部87を通りすぎた瞬間、支持体220の上面と係止孔85の内壁上面とが勢いよく衝突し、大きな衝突音とともに係止片230と前端角部87とが係止状態となる。この状態では、係止片230の上段差部232と、突条240の先端傾斜部241との間に係止孔85の前端角部87と後端角部89とが挟まれた状態となって、両者の間に隙間が発生しない強固な係止状態が完成する。この係止状態では、先端傾斜部241が後端角部89に押されているため、支持体220の先端側の係止孔85を上方に持ち上げる力が作用し、係止片230と先端傾斜部241との係止状態がより強固なものとなり、外力等により誤って係止状態が解除され難くなっている。
【００６３】
係止孔85から支持体220を引き抜く場合には、上述した説明と逆である図１４（ｆ）（ｅ）（ｄ）、図１３（ｃ）（ｂ）（ａ）の順で、両者の係止状態を解除することができる。この係止状態を解除する過程を以下に順に説明する。
先ず図１４（ｆ）に示すように、係止片230の上段差部232が前端角部87に係止しており、係止孔85に押し込まれた支持体220を後方側に引き抜くことができない。係止片230の上段差部232と、突条240の先端傾斜部241との間に係止孔85の前端角部87と後端角部89とが挟まれており、両者の間に隙間が無い状態となっている。
ここで、作業者が支持体220の上面の係止解除操作部224（図９参照）を下方に押し下げると、支持体220を介して係止片230が下方へ移動し、係止片230と前端角部87との係止状態が解除される。その際、支持体220下面の突条240の先端傾斜部241が後端角部89に当接しているため、先端傾斜部241は後端角部89上を後方側の斜め下方に向かって滑り落ちることになる。これにより、図１４（ｅ）に示すように、支持体220は後端側へ移動させられる。
【００６４】
更に支持体220の係止解除操作部224を下方に押すと、後端角部89が先端傾斜部241に当接している限り、支持体220を後端側へ移動させる力が後端角部89から支持体220に加わり、図１４（ｄ）に示すように、支持体220が後端側へ更に移動する。
図１３（ｃ）に示すように、先端傾斜部241から後端角部89が離れた後は、演出ユニット110を軸部111を回転の中心として後方側へ回転移動させることにより、支持体220を係止片230から後方側へ移動させることができる。その際、係止片230の上端が係止片230の内壁の上面に押されて支持体220の先端側は下方に弾性変形する。
図１３（ｂ）に示すように、演出ユニット110を更に後方側へ回転移動させると、係止片230の上端が係止片230の後端側から後方側に抜ける。
【００６５】
図１３（ａ）に示すように、演出ユニット110を更に後方側へ回転移動させると、支持体220が係止孔85から完全に抜けてしまう。係止孔85の内壁に押されて弾性変形していた支持体220は、弾性復元力により元の状態に戻る。その後、演出ユニット110を後方側の斜め上方に向かって引き抜くと、演出ユニット110の下部の軸部111が軸受部83の開口溝84から抜けて、演出ユニット110を前扉14の裏面側から取り外すことができる（図１２（ａ）白矢印参照）。
図１５に示すように、係止片230が前端角部87に係止した状態では、上段差部232と先端傾斜部241との間に前端角部87と後端角部89とを有する係止孔85が挟まれた状態となって強固な係止状態となる。特に先端傾斜部241が後端角部89に乗り上げたような状態となって、後端角部89により先端傾斜部241が上方に向かって押されていることで、支持体220の先端側が上方へ移動するにともない係止片230も上方へ移動し、上段差部232と前端角部87の前面側との接触面積が増加して、係止片230と前端角部87との係止状態が強固なものとなっている。
【００６６】
なお、前部222にはスリット223を複数設けてもよい。たとえば、図１６（ａ）に示すように、支持体220の前部222にスリット223が２つ設けられ、支持体220の先端が３つに分割されるようにしても良い。この場合、突条240は、２つのスリット223の幅の間にそれぞれ形成されている。また、３つに分割された支持体220の先端毎に係止片230が形成さている。また、３つに分割された支持体220の前後方向の長さは３つとも同一となるように形成されている。
また、スリット223により複数に分割された前部222の先端全てに係止片230を設けなくてもよく、少なくとも１つの先端に係止片230を設ければよい。たとえば、図１６（ｂ）に示すように、支持体220の３つの先端全てに係止片230が形成されているのではなく、左右の２つの先端に係止片230が形成され、中央の先端には係止片230が形成されていないようにしてもよい。
【００６７】
また、複数設けた全てのスリット223の幅の間に突条240を設ける必要はなく、少なくとも１つのスリット223の幅の間に突条240を設ければよい。たとえば、図１６（ｃ）に示すように、２つのスリット223を設けて支持体220の先端が３つに分割されているが、突条240は、左側の１つのスリット223の幅の間にだけ形成され、右側のスリット223の幅の間には突条240が形成されていないようにしてもよい。
また、上述した実施の形態では複数に分割された支持体220の先端の前後方向の長さは全て同一となるように形成されていたが、これに限定されるものではなく複数に分割された支持体220の後端から先端までの長さを異なるようにしてもよい。たとえば、図１６（ｄ）に示すように、支持体220の先端が３つに分割されているが、３つに分割された支持体220の前後方向の長さが左端及び右端と、中央とでは異なるようにしてもよい。このように形成すると、係止孔85における被係止部86としての前端角部87の位置が前後方向で異なるような形状のものに対しても対応することができる。
【００６８】
また、上述した実施の形態では係止片230は支持体220の先端に形成されていたが、これに限定されるものではなく、係止片230を支持体220の先端から後方側にずれた位置に形成してもよい。たとえば、図１７に示すように、係止片230を前部222の先端から僅かの距離だけ後方側にずらした位置に設けてもよい。これにより、係止片230を前部222の先端に設けるものと比較して上段差部232と先端傾斜部241との間の距離を縮めることができ、前端角部87と後端角部89との間の距離を縮めることができる。結果として、係止孔85の前後方向の長さを短くすることができ、係止孔85を設けた部材（具体的には、Ｘ字状部材93）の厚みを薄くすることができる。
【００６９】
（作用）
（１）図１５に示すように、支持体220の下面から下方に向かって突出する突条240は係止片230の突出方向と反対方向に突出している。突条240の先端傾斜部241は支持体220からの距離が後方に向かうに従い漸増する形状となっている。
支持体220が係止孔85に押し込まれると、先端傾斜部241が係止孔85の被当接部88としての後端角部89に当接する。これにより、支持体220は押し込まれるとともに係止片230の突出方向に向かって案内される（図１３（ａ）〜（ｃ）、図１４（ｄ）（ｅ）参照）。さらに、支持体220が押し込まれると、係止片230の上段差部232が被係止部86としての前端角部87に当接した状態になる。これにより、係止片230が前端角部87に係止した状態となる（図１４（ｆ）参照）。
【００７０】
（２）図１５に示すように、先端傾斜部241が係止孔85の後端角部89に当接した状態になると、係止片230と先端傾斜部241とにより係止孔85を挟み込んだ状態にすることができる。これにより支持体220と係止孔85との係止状態が強固なものとなる上に両者の間に隙間を発生させることなく係止状態にすることができ、ガタツキの発生を防止することができる。
（３）図１５に示すように、本実施の形態においては、支持体220が弾性変形可能であるとともに先端傾斜部241は、その先端側において支持体220からの距離が後方に向かうに従い漸増しているため、後端角部89が前後方向に先端傾斜部241の前後方向の長さ分だけずれても支持体220を押し込むことにより先端傾斜部241と後端角部89とを当接させることができる。これにより、先端傾斜部241の前後方向の長さ分だけ係止孔85の板厚（具体的には前端角部87と後端角部89との前後方向の距離）が変動しても対応することができる。
【００７１】
すなわち、係止片230が前端角部87に係止する位置と、先端傾斜部241が後端角部89に当接する位置との間の距離に誤差があっても先端傾斜部241により誤差を吸収することができ、良好な係止状態を発生させることができる。このように、係止状態における寸法形状の誤差を吸収することができるため、製造コストを低減することが可能になる。
（４）一方、図１５及び図１４（ｆ）（ｅ）（ｄ）に示すように、係止孔85から支持体220を取り外す際には、作業者が係止解除操作部224を下方に押下する。これにより、支持体220が突条240を設けた側に向かって弾性変形して移動し、前端角部87から係止片230の上段差部232が外れ、係止状態が解除される。その際に先端傾斜部241は後端角部89に当接しているため、支持体220を後端側へ移動させる力が後端角部89から支持体220に加わるとともに先端傾斜部241は後端角部89上を後方側の斜め下方に向かって滑り落ちることになる。これにより、支持体220は後端側へ移動させられる。結果として、支持体220を係止孔85から容易に引き抜くことができる。
【００７２】
（５）本実施の形態では、図１５に示すように、支持体220の先端側に係止片230が設けられているとともに係止片230より後方寄りの位置に突条240が設けられている。支持体220のうち突条240を形成した箇所では剛性が増すことで弾性変形に対する抵抗が増加するが、突条240を形成していない支持体220の先端側では突条240による剛性の影響は少ない。これにより、この突条240を設けることによる支持体220の先端側の弾性変形への悪影響はなく、支持体220の前部222の自由な弾性変形が確保される。
（６）一般的には係止片230の上段差部232と前端角部87を有する係止孔85の前側の周囲の面との接触面積が増加する程、両者の係止状態がより強固なものとなる。係止片230が上方に向かって突出する高さを大きくする程、前記接触面積を増加させることができるが、係止片230の突出する高さが大きくなりすぎると係止片230が係止孔85の内部を通過する際、係止片230が係止孔85の上部内壁に押されて支持体220が下方に向かって撓む変形量が大きくなってしまう。この場合に支持体220の一部に塑性変形領域が発生すると支持体220が弾性復元力により完全に元の状態に戻らず、支持体220と前端角部87との接触面積が減少するとともに両者間に隙間が発生してしまう。また、係止片230と係止孔85との脱着回数が増えて支持体220の変形回数が多くなることによっても同様の状態が発生する。これらに対して本実施の形態に係る支持体220は、図１５及び図１４（ｄ）（ｅ）（ｆ）に示すように、先端傾斜部241と後端角部89とが接触することにより変形した支持体220を上方に押し上げて元の状態に戻すことができ、係止片230と支持体220とが前端角部87に当接した係止状態にすることができる。
【００７３】
（７）図１４（ｅ）（ｆ）に示すように、係止片230の上段差部232が係止孔85の前端角部87の前方に抜けた際、係止孔85の上部内壁に押されて下方に向かって撓んでいた支持体220が弾性復元力により元の方向へ勢いよく戻ることで支持体220と係止孔85の上部内壁との間で衝突し、その衝突音が発生する。それとともに係止片230と前端角部87とが係止状態となる。後端角部89が先端傾斜部241に当接することにより支持体220を係止片230側（上方側）に押し付ける力も大きくなり、前記衝突音も大きくなってしっかり聞こえるため、作業者は係止状態になったことを音でもより明確に確認することができる。
（８）仮に前扉14にフック部材210を設けるような場合、フック部材210はその表面から突出することとなるため、フック部材210が破損した場合には前扉14そのものを修理あるいは交換する必要がある。それに対して、図４に示すように、本実施の形態では演出ユニット110にフック部材210を設けているので、前扉14の破損への懸念は解消され、フック部材210の修理や交換を容易のものにすることができる。さらに製造や組立等における取扱いも、本実施の形態のように前扉14よりも演出ユニット110にフック部材210を設けた方が容易となる。
【００７４】
また、図６及び図７に示すように、フック部材210の下にはベース部250を設けている。これにより、フック部材210を演出ユニット110に装着すると、支持体220に加わる力が支持体220の後端からベース部250に伝達された後、演出ユニット110に加わるようにすることができる。これにより支持体220の後端に応力が集中することがなく、支持体220に加えられる力をベース部250を介して分散させることができる。これによりフック部材210の破損を防止することが可能となる。
（９）本実施の形態では、図６及び図７に示すように、支持体220のうち突条240が設けられている部分である後部221は、前記突条240が補強板としての役割を有することにより高剛性の構造となっている。これにより、係止状態を解除する際、後部221は後端角部89から先端傾斜部241を介して受ける力に十分に耐えることができる。一方、支持体220のうち突条240が形成されていない部分である前部222は、弾性変形しやすい構造となっている。これにより、係止片230の前端角部87への係止がスムーズに行われるとともに、係止する際の寸法のズレを吸収することができる。
【００７５】
（１０）図６、図７及び図１５に示すように、後部221の突条240が設けられた側の反対側には、係止孔85の内部に入らずに演出ユニット110の外方に向かって露出する係止解除操作部224が形成されている。これにより、作業者は、演出ユニット110の外方から容易に係止解除操作部224を押し込むことができる。
図１４（ｆ）（ｅ）（ｄ）に示すように、前端角部87から係止片230を取り外す際に、作業者が係止解除操作部224を係止片230が前端角部87から離れる方向（下方向）に押し込むと、前端角部87から係止片230を外すことができる。その際に先端傾斜部241は後端角部89に当接しているため、係止解除操作部224を押し込んだ力が支持体220を後端側へ移動させる力となって後端角部89から支持体220に加わり、支持体220は後端側へ移動させられる。これにより、支持体220を前端角部87から後方へ容易に引き抜くことができる。結果として、フック部材210を前端角部87に係止させる力を増加させて係止状態を強固にするとともに、その係止状態を解除するための工夫（先端傾斜部241による引き抜き方向の力の発生）により係止状態も解除され易くなり、演出ユニット110と前扉14との取り付け作業及び取り外し作業の両方における作業性を向上させることができる。
【００７６】
（１１）図７（ｅ）に示すように、前記突条240は、係止片230が前端角部87に係止する際、前部222が上下方向に弾性変形する範囲から外れた位置に形成されている。これにより、突条240に阻害されることなく、前部222が上下方向に弾性変形可能となる。
（１２）図６及び図７に示すように、支持体220の先端に１のスリット223を設けたことで先端側が複数（具体的には２つ）に分割され、その各々が独立して弾性変形可能としたことにより、係止孔85の内壁上面に位置する障害物としての膨出部90（図８参照）を避けて係止片230を前端角部87に係止させることができる。
（１３）本実施の形態では、図６及び図７に示すように、前部222は１のスリット223で２つに分割されている。そして、係止解除操作部224は後部221の先端に位置しているため、係止解除操作部224を下方に押下操作すると、１回の操作で前部222にある２つの係止片230が同時に移動する。これにより、２つの係止片230による係止を解除するために、１回の操作を行うことで、２つの係止片230の係止状態を同時に解除することができる。なお、これは、スリット223を複数設けて、３以上に分割された前部222の先端に複数の係止片230を設けた場合であっても、同様に１回の操作で複数の係止片230の係止状態を同時に解除することができる。
【００７７】
（１４）図７（ｅ）に示すように、本実施の形態では、突条240が、１のスリット223の幅の中央に位置している。このため、後端角部89から突条240に加わる力を、左右の係止片230の一方に偏ることなく隣接する係止片230に均等に伝達させることができる。これにより、片方だけに応力が集中して一方のみが減耗したり破断するようなことが抑えられる。
（１５）図６（ａ）〜（ｃ）、図７（ｄ）〜（ｆ）に示すように、突条240は、棒状軸部242を設けたことにより支持体220の後部221から前部222の途中までのスリット223の間に突出するように形成されている。これにより、前部222の長さを維持して弾性変形できるようにするとともに前端角部87と後端角部89との間の距離、すなわち係止孔85の前後方向の長さを短くすることができる。
【００７８】
（１６）図７（ｅ）に示すように、突条240は、スリット223の幅の中央に位置するとともに、その厚みがスリット223の幅よりも小さくなるように形成されている。これにより、弾性変形する分割された前部222と突条240とが衝突することを防止することができる。
（１７）図１１に示すように、フック部材210は、演出ユニット110とは別体として形成されるとともに演出ユニット110に脱着可能に形成されている。これにより、繰り返し使用による係止片230や突条240等の減耗（へたり等）の発生や塑性変形による弾性変形機能の低下が発生した場合にフック部材210だけを交換することができる。結果として、フック部材210の一部の不具合だけでフック部材210以外のものを含む全体を交換する場合に比べて維持コストを低減させることができる。
【００７９】
（１８）図１１（ａ）（ｂ）（ｃ）に示すように、取付部260を開口部120に取り付けるための連結手段130として、楔状弾性片132及び引掛部131が開口部120に設けられ、これらと係止状態になる差込孔273及び折曲部272がフック部材210に設けられている。この連結手段130を設けていることにより、フック部材210を開口部120に装着する際には、フック部材210を開口部120に向かって下方に押し込むと、両者を係止状態にすることができる。フック部材210を開口部120から取り外す際には、楔状弾性片132の楔状突出部133を差込孔273の周囲から外れるように弾性変形させることで係止状態を解除することができ、上方に引き抜くことができる。
【００８０】
また、図１１（ｄ）（ｅ）（ｆ）に示すように、フック部材210を開口部120に対して上下方向にスライド可能に案内する上下スライド手段282として、上スライド片283及び下スライド片284と、上案内片135及び下案内片136とが設けられている。この上下スライド手段282が設けられていることにより、フック部材210を脱着時に上下方向に安定した状態で案内することができる。
（１９）また、図１１（ｄ）（ｅ）（ｆ）に示すように、上下スライド手段282を設けていることにより、装着されたフック部材210を開口部120から取り外す際には、フック部材210を必ず上方向に移動させることになる。フック部材210を演出ユニット110から取り外す際の開口部120から取付部260を取り外す方向は、係止片230が支持体220から突出する方向（上方向）と同一方向となっている。このため、フック部材210を取り外す際にはフック部材210を支持体220の係止片230を設けた側に向かって（上方向に向かって）引き抜く方向に移動させる必要がある。演出ユニット110を前扉14に固定した状態（すなわち、支持体220を係止孔85に挿入した状態）でフック部材210を上方に移動して取り外そうとしても、係止孔85の上側の内壁があるため支持体220を上方に移動させることができず、フック部材210を取り外すことができない。無理に取り外そうとした場合には、支持体220等が破損し、取り外した痕跡が残ることになる。これにより、演出ユニット110を前扉14に固定した状態における前記開口部120からの不正行為を抑制することができる。
【００８１】
（２０）図２〜５に示すように、フック部材210を演出ユニット110に取り付けた状態のまま、取付部260の内部視認部263（具体的には、上面視認部264及び裏面視認部265）から開口部120を介して演出ユニット110内部を視認することで、演出ユニット110の内部状態を確認することができる。これにより、演出ユニット110内部の不正部品が装着されていたりするような異常の有無が容易に確認できる。さらに、不正行為が行われた痕跡を外部から発見しやすい。
（２１）図１２に示すように、軸部111が軸受部83の開口溝84を介して軸受部83内に通され、この軸受部83により軸部111が軸支される。その状態では演出ユニット110の全体重量のほとんどは軸支手段82を介して前扉14に支持される。このため、フック部材210を前端角部87に係止させる作業の際、演出ユニット110の全体重量を手で支える必要がなく、その係止作業に集中することができる。
【００８２】
また、演出ユニット110の重量のほとんどが軸支手段82を介して前扉14に支持されるため、フック部材210や前端角部87に演出ユニット110の重量による負荷が集中することがなく、フック部材210や前端角部87の破損を防止することができる。
（２２）図１３及び図１４に示すように、演出ユニット110は軸部111を回転の中心軸にして前方に傾倒させるだけで、支持体220を係止孔85に入れることができ、さらに、演出ユニット110の上部を前方に押し込むだけでフック部材210を前端角部87に係止させることができる。したがって取り付け作業を容易にすることができる。
（２３）図８に示すように、固定孔113及び固定ネジ孔94をネジによる締結部材で本固定する際には、支持体220は係止孔85に挿入されることで演出ユニット110は既に前扉14の裏面側に仮止めされている。このため、取り付け作業者は演出ユニット110を片方の手で支持する必要がなく、両方の手を使って本固定の締結作業を行うことができる。特に演出ユニット110の全体重量が大きいときには、演出ユニット110の取り付け作業が容易となるうえ、作業中に演出ユニット110が落下することが防止され、安全を確保した状態で取り付け作業を行うことができる。
【００８３】
（２４）図１２に示すように、本実施の形態では、演出ユニット110の装着方式として軸部111を回転の中心とした回動構造を採用しているとともに、支持体220の形状を軸部111を中心とする円周に沿うように、挿入される方向に沿って弓なりの円弧状にしている。これにより、支持体220を係止孔85の周囲と衝突することなく係止孔85内部にスムーズに挿入することができる。
（２５）図１３及び図１４に示すように、本実施の形態では、先端側に先端傾斜部241を有する突条240が設けられたことにより、演出ユニット110を遊技機10の前扉14に取り付ける際、寸法形状の誤差があっても対応することができる上に、取付後もガタツキの発生を防止することができ、さらに、取り外す際には容易に取り外すことができる。
【００８４】
（２６）フック部材210及び係止孔85を有するものを新たに設計や試作する場合、フック部材210と係止孔85とを係止させる際に両者を係止させる力（引っかかり具合）を調整する必要が生じる。本実施の形態によれば、先端傾斜部241の設計形状（傾斜角度）を変更することにより先端傾斜部241と後端角部89との接触状態が変化し、前記係止させる力（引っかかり具合）を簡単に調整することができる。よって、フック部材210の全体の形状を調整しなければならない従来に比べて先端傾斜部241の形状（傾斜角度）だけを変更すれば良いため、フック部材210を製作する金型の変更範囲が少なくなり製作コストが抑えられる。
【００８５】
（２７）本実施の形態では、フック部材210が透明なポリカーボネート樹脂で製作され、後端角部89を含むＸ字状部材93がメッキを施したＡＢＳ樹脂で製作されている。このように、樹脂で各部が製作されているため、突条240の先端傾斜部241と、後端角部89とが当接した場合、先端傾斜部241又は後端角部89が適度に変形する（つぶれる）。これにより、係止位置を微調整することができる。なお、フック部材210、後端角部89を含むＸ字状部材93の材質は、上述したものに限定されるものではなく、他の樹脂等で形成されても同様の効果が得られる。
（２８）なお、本実施の形態に係るユニット100としては、演出ユニット110を使用しているが、遊技機10の前扉14や筐体11に固定する他のユニット100でもよい。このユニット100としては、制御基板を収納する基板ケースや、液晶パネルを有する液晶表示装置や、その他の表示装置等が含まれる。また、本実施の形態に係る遊技機10としては、スロットマシンであったが、特にスロットマシンに限らず、パチンコ機等の他の種類の遊技を行う遊技機10でもよい。
【符号の説明】
【００８６】
5  電源装置                            10  遊技機
11  筐体                                12a  上パネル
12b  下パネル                          13  図柄表示窓
14  前扉                                16s  シングルベットスイッチ
16m  マックスベットスイッチ            17  精算スイッチ
18  メダル投入口                        19  操作部
30  スタートスイッチ                    32  メダル払い出し口
33  メダル受け皿                        40  回転リール
50  ストップスイッチ                    60  リールユニット
65  貯留払い出し手段                    66  報知手段
67  スピーカー                          68  液晶パネル
69  報知ランプ                          70  基板ケース
71  メイン基板ケース                    72  サブ基板ケース
82  軸支手段                            83  軸受部
84  開口溝                              85  係止孔
86  被係止部                            87  前端角部
88  被当接部                            89  後端角部
90  膨出部                              91  中央ネジ孔
92  水平突出片                          93  Ｘ字状部材
94  固定ネジ孔                          100  ユニット
110  演出ユニット                      111  軸部
112  カバー部材                        113  固定孔
120  開口部                            130  連結手段
131  引掛部                            132  楔状弾性片
133  楔状突出部                        135  上案内片
136  下案内片                          210  フック部材
220  支持体                            221  後部
222  前部                              223  スリット
224  係止解除操作部                    230  係止片
231  上傾斜面                          232  上段差部
234  面取り部                          240  突条
241  先端傾斜部                        242  棒状軸部
250  ベース部                          260  取付部
261  上板部                            262  裏面蓋部
263  内部視認部                        264  上面視認部
265  裏面視認部                        271  延設片
272  折曲部                            273  差込孔
280  台部                              282  上下スライド手段
283  上スライド片                      284  下スライド片
【図１】
0005598871.tif 000002
【図２】
0005598871.tif 000003
【図３】
0005598871.tif 000004
【図４】
0005598871.tif 000005
【図５】
0005598871.tif 000006
【図６】
0005598871.tif 000007
【図７】
0005598871.tif 000008
【図８】
0005598871.tif 000009
【図９】
0005598871.tif 000010
【図１０】
0005598871.tif 000011
【図１１】
0005598871.tif 000012
【図１２】
0005598871.tif 000013
【図１３】
0005598871.tif 000014
【図１４】
0005598871.tif 000015
【図１５】
0005598871.tif 000016
【図１６】
0005598871.tif 000017
【図１７】
0005598871.tif 000018